(57)【要約】【課題】内部に消費電力を測定する回路を設けて消費電力を測定し、その消費電力値を表示するネットワーク中継装置において、高精度な消費電力測定を行ない、高精度な消費電力表示を行なう消費電力測定方式を提供する。【解決手段】ＤＣ−ＤＣ電源ユニットの入力側の消費電力を測定する入力側消費電力測定回路と、ＤＣ−ＤＣ電源ユニットの出力側の消費電力を測定する出力側消費電力測定回路と、温度情報と累積動作時間情報を備えたＤＣ−ＤＣ電源ユニットと、ＣＰＵと、消費電力情報格納部と、消費電力表示部を備えたネットワーク中継装置であって、通常モードと変換効率測定モードを備え、変換効率測定モードは、ＣＰＵが、入力側消費電力測定回路の消費電力情報と、出力側消費電力測定回路の消費電力情報と、温度情報と、累積動作時間情報を読み取ることを特徴とするネットワーク中継装置を提供する。【選択図】図１
2014022796.tif 000002
【特許請求の範囲】
【請求項１】
入力側消費電力測定回路と、出力側消費電力測定回路と、ＤＣ−ＤＣ電源ユニットと、前記ＤＣ−ＤＣ電源ユニットと電力の出力を受け、ネットワークに対してパケットの転送処理を実行する論理回路とを備えたネットワーク中継装置であって、
前記ＤＣ−ＤＣ電源ユニットは、前記ＤＣ−ＤＣ電源ユニットの内部温度情報を格納する温度情報格納部を備え、
前記論理回路は、ＣＰＵと、前記入力側消費電力測定回路の消費電力情報と前記出力側消費電力測定回路の消費電力情報と前記温度情報とを格納する消費電力情報格納部とを備え、
前記入力側消費電力測定回路は、前記ＤＣ−ＤＣ電源ユニットの入力側の消費電力を測定し、
前記出力側消費電力測定回路は、前記ＤＣ−ＤＣ電源ユニットの出力側の消費電力を測定し、
変換効率測定モードにおいて、前記ＣＰＵは、前記入力側消費電力測定回路の消費電力情報と、前記出力側消費電力測定回路の消費電力情報と、前記温度情報とを管理テーブルに記録し、
通常モードにおいて、前記ＣＰＵは、温度情報に基づいて前記管理テーブルを検索し、得られた変換効率と前記出力側消費電力測定回路の消費電力情報とに基づいて前記ＤＣ−ＤＣ電源ユニットの入力側の消費電力を推定することを特徴とするネットワーク中継装置。
【請求項２】
請求項１に記載のネットワーク中継装置であって、
前記論理回路は、さらに消費電力値を表示する消費電力表示部を備え、
表示操作を受け付けたとき、前記ＤＣ−ＤＣ電源ユニットの入力側の消費電力を前記消費電力表示部に予め定めた時間表示することを特徴とするネットワーク中継装置。
【請求項３】
請求項２に記載のネットワーク中継装置であって、
前記論理回路は、さらに消費電力量情報格納示部を備え、
前記消費電力量情報格納示部は、前記ＤＣ−ＤＣ電源ユニットの入力側の消費電力積算することを特徴とするネットワーク中継装置。
【請求項４】
第１の消費電力測定装置と、第２の消費電力測定回路と、第１のＤＣ−ＤＣ電源ユニットと、第２のＤＣ−ＤＣ電源ユニットと、少なくとも前記第１のＤＣ−ＤＣ電源ユニットと前記第２のＤＣ−ＤＣ電源ユニットとの一方から電力の出力を受け、ネットワークに対してパケットの転送処理を実行する論理回路とを備えたネットワーク中継装置であって、
前記第１のＤＣ−ＤＣ電源ユニットは、前記第１のＤＣ−ＤＣ電源ユニットの内部温度情報を格納する第１の温度情報格納部を備え、
前記第２のＤＣ−ＤＣ電源ユニットは、前記第２のＤＣ−ＤＣ電源ユニットの内部温度情報を格納する第２の温度情報格納部を備え、
前記論理回路は、ＣＰＵと、前記第１の消費電力測定装置の消費電力情報と前記第２の消費電力測定装置の消費電力情報と前記温度情報とを格納する消費電力情報格納部とを備え、
前記第１の消費電力測定装置は、第１の消費電力測定回路と、第１の切り替え回路と、第２の切り替え回路とを備え、
前記第２の消費電力測定装置は、第２の消費電力測定回路と、第３の切り替え回路と、第４の切り替え回路とを備え、
前記第１の消費電力測定回路は、前記第１の切り替え回路と前記第２の切り替え回路との切り替えに基づいて、前記第１のＤＣ−ＤＣ電源ユニットの出力側の消費電力と前記第１のＤＣ−ＤＣ電源ユニットの入力側の消費電力と前記第２のＤＣ−ＤＣ電源ユニットの入力側の消費電力とを測定し、
前記第２の消費電力測定回路は、前記第３の切り替え回路と前記第４の切り替え回路との切り替えに基づいて、前記第２のＤＣ−ＤＣ電源ユニットの出力側の消費電力と前記第１のＤＣ−ＤＣ電源ユニットの出力側の消費電力とを測定することを特徴とするネットワーク中継装置。
【発明の詳細な説明】
【技術分野】
【０００１】
本発明は、ネットワークの中継を行なうネットワーク中継装置に関する。
【背景技術】
【０００２】
ネットワーク中継装置の消費電力の増加により、ネットワーク中継装置に対する消費電力削減の要請が高まっている。従来、装置内部に消費電力を測定する回路を設けて、装置自身が使用している消費電力を測定し、消費電力値を表示する技術があった。この技術は特許文献１に記載されている。
【先行技術文献】
【特許文献】
【０００３】
【特許文献１】特開２００８−０９８１１１号公報
【発明の概要】
【発明が解決しようとする課題】
【０００４】
装置内部に消費電力を測定する回路を設けて消費電力を測定する場合、電力測定器を用いた実際の消費電力値に比べて、測定値の精度が悪い。そのため、装置内部に消費電力を測定する回路を設けて消費電力を表示する場合、その表示する消費電力値についても、精度が悪くなる課題があった。
【０００５】
また、ネットワークのトラフィックが変化すると装置内部の消費電力も変化するが、トラフィック量の変化による測定値の精度との区別がつかないという課題もあった。
【課題を解決するための手段】
【０００６】
上述した課題は、入力側消費電力測定回路と、出力側消費電力測定回路と、ＤＣ−ＤＣ電源ユニットと、少なくとも第１のＤＣ−ＤＣ電源ユニットと第２のＤＣ−ＤＣ電源ユニットとの一方から電力の出力を受け、ネットワークに対してパケットの転送処理を実行する論理回路とを備えたネットワーク中継装置であって、ＤＣ−ＤＣ電源ユニットは、ＤＣ−ＤＣ電源ユニットの内部温度情報を格納する温度情報格納部を備え、論理回路は、ＣＰＵと、入力側消費電力測定回路の消費電力情報と出力側消費電力測定回路の消費電力情報と温度情報とを格納する消費電力情報格納部とを備え、入力側消費電力測定回路は、ＤＣ−ＤＣ電源ユニットの入力側の消費電力を測定し、出力側消費電力測定回路は、ＤＣ−ＤＣ電源ユニットの出力側の消費電力を測定し、変換効率測定モードにおいて、ＣＰＵは、入力側消費電力測定回路の消費電力情報と、出力側消費電力測定回路の消費電力情報と、温度情報とを管理テーブルに記録し、通常モードにおいて、ＣＰＵは、温度情報に基づいて管理テーブルを検索し、得られた変換効率と出力側消費電力測定回路の消費電力情報とに基づいてＤＣ−ＤＣ電源ユニットの入力側の消費電力を推定するネットワーク中継装置により、達成できる。
【０００７】
また、第１の消費電力測定装置と、第２の消費電力測定回路と、第１のＤＣ−ＤＣ電源ユニットと、第２のＤＣ−ＤＣ電源ユニットと、少なくとも第１のＤＣ−ＤＣ電源ユニットと第２のＤＣ−ＤＣ電源ユニットとの一方から電力の出力を受け、ネットワークに対してパケットの転送処理を実行する論理回路とを備えたネットワーク中継装置であって、第１のＤＣ−ＤＣ電源ユニットは、第１のＤＣ−ＤＣ電源ユニットの内部温度情報を格納する第１の温度情報格納部を備え、第２のＤＣ−ＤＣ電源ユニットは、第２のＤＣ−ＤＣ電源ユニットの内部温度情報を格納する第２の温度情報格納部を備え、論理回路は、ＣＰＵと、第１の消費電力測定装置の消費電力情報と第２の消費電力測定装置の消費電力情報と温度情報とを格納する消費電力情報格納部とを備え、第１の消費電力測定装置は、第１の消費電力測定回路と、第１の切り替え回路と、第２の切り替え回路とを備え、第２の消費電力測定装置は、第２の消費電力測定回路と、第３の切り替え回路と、第４の切り替え回路とを備え、第１の消費電力測定回路は、第１の切り替え回路と第２の切り替え回路との切り替えに基づいて、第１のＤＣ−ＤＣ電源ユニットの出力側の消費電力と第１のＤＣ−ＤＣ電源ユニットの入力側の消費電力と第２のＤＣ−ＤＣ電源ユニットの入力側の消費電力とを測定し、第２の消費電力測定回路は、第３の切り替え回路と第４の切り替え回路との切り替えに基づいて、第２のＤＣ−ＤＣ電源ユニットの出力側の消費電力と第１のＤＣ−ＤＣ電源ユニットの出力側の消費電力とを測定するネットワーク中継装置により、達成できる。
【発明の効果】
【０００８】
本発明では、ネットワーク中継装置は、通常モードで動作し、周期的に変換効率測定モードで動作し、ネットワーク中継装置が、ＤＣ−ＤＣ電源ユニットの内部温度や累積動作時間に応じた電源変換効率情報を学習し、通常モード時、学習した電源変換効率情報を使用することで、入力側消費電力測定回路の消費電力情報を読み取ることなく、高精度な消費電力表示を実現する。
【図面の簡単な説明】
【０００９】
【図１】消費電力測定を適用したネットワーク中継装置のブロック図である。
【図２】消費電力情報格納部の管理テーブルである。
【図３】ネットワーク中継装置の消費電力測定の全体フローチャートである。
【図４】消費電力量測定を適用したネットワーク中継装置のブロック図である。
【図５】ネットワーク中継装置の消費電力量測定の全体フローチャートである。
【図６】消費電力測定回路の詳細ブロック図である。
【図７】２つのＤＣ−ＤＣ電源ユニットを備えたネットワーク中継装置のブロック図である。
【図８】ネットワーク中継装置の通常モードおよび変換効率測定モードに対する消費電力測定部の測定箇所を説明する図である。
【発明を実施するための形態】
【００１０】
以下、本発明の実施の形態について、実施例を用い図面を参照しながら詳細に説明する。なお、実質同一部位には同じ参照番号を振り、説明は繰り返さない。
【実施例１】
【００１１】
図１を参照して、消費電力測定を適用したネットワーク中継装置の構成を説明する。図１において、ネットワーク中継装置１００は、入力側消費電力測定回路１１０−Ｉと、出力側消費電力測定回路１１０−Ｏと、ＤＣ−ＤＣ電源ユニット１３０と、論理回路１６０とから構成される。
【００１２】
ＤＣ電源供給設備４００は、ネットワーク中継装置１００に電力を供給する。
ＤＣ−ＤＣ電源ユニット１３０は、温度情報格納部１３１と、累積動作時間情報格納部１３２とを含む。論理回路１６０は、ＣＰＵ１６１と、消費電力情報格納部１６２と、消費電力表示部１６３と、パケット入力部１６５と、パケット転送処理部１６６と、パケット出力部１６７と、回線ポート１６８とを含む。
【００１３】
ＤＣ電源供給設備４００からＤＣ電力が供給されて、入力側消費電力測定回路１１０−Ｉは、ＤＣ−ＤＣ電源ユニット１３０の入力側の消費電力を測定する。出力側消費電力測定回路１１０−Ｏは、ＤＣ−ＤＣ電源ユニット１３０の出力側の消費電力を測定する。
【００１４】
ＤＣ−ＤＣ電源ユニット１３０は、入力側の電圧値を４８Ｖとし、４８Ｖから１２Ｖに電圧変換して、出力側の電圧値を１２Ｖとする。温度情報格納部１３１は、ＤＣ−ＤＣ電源ユニット１３０の内部の温度を測定し、その温度情報を格納する。ＤＣ−ＤＣ電源ユニット１３０の内部の温度が変化した場合、温度情報格納部１３１は、常に新しい温度情報を上書きする。累積動作時間情報格納部１３２は、ＤＣ−ＤＣ電源ユニット１３０が動作している時間を常時計測し、ＤＣ−ＤＣ電源ユニット１３０が初めて動作してからの累計の動作時間情報を格納する。
【００１５】
論理回路１６０は、ＤＣ−ＤＣ電源ユニット１３０で電圧変換された１２Ｖで動作する回路である。ＣＰＵ１６１は、入力側消費電力測定回路１１０−Ｉの消費電力情報と、出力側消費電力測定回路１１０−Ｏの消費電力情報と、温度情報格納部１３１の温度情報と、累積動作時間情報格納部１３２の累積動作時間情報の４つの情報を読み取り、これら４つの情報を消費電力情報格納部１６２の管理テーブルに格納する。
【００１６】
消費電力情報格納部１６２は、ＣＰＵ１６１から通知される４つの情報を管理する。また、ＣＰＵ１６１からの通知がある度に、新しい情報を格納する。消費電力表示部１６３は、ＣＰＵ１６１からの指示により、ネットワーク中継装置１００の消費電力値を表示する。なお、消費電力表示部には、図示しない入力ボタンを有する。この入力ボタン押下を検出したＣＰＵ１６１は、消費電力表示部１６３にネットワーク中継装置１００の消費電力値を表示させる。
【００１７】
回線ポート１６８−１は、ネットワーク１６９からのパケットを受信し、パケット入力部１６５にパケットを送信する。パケット入力部１６５は、回線ポート１６８−１からのパケットを受信し、パケット転送処理部１６６にパケットを送信する。パケット転送処理部１６６は、パケット入力部１６５からのパケットを受信し、中継先を決定し、その後、パケット出力部１６７にパケットを送信する。パケット出力部１６７は、パケット転送処理部１６６からのパケットを受信し、回線ポート１６８−２にパケットを送信する。回線ポート１６８−２は、パケット出力部１６７からのパケットを受信し、ネットワーク１６９にパケットを送信する。
【００１８】
図２を参照して、消費電力情報格納部１６２の管理テーブルを説明する。図２において、管理テーブル１５０は、入力側消費電力情報１５１と、出力側情報消費電力情報１５２と、温度情報１５３と、累積稼働時間情報１５４とを含む。入力側消費電力情報１５１は、入力側消費電力測定回路１１０−Ｉの消費電力情報である。出力側情報消費電力情報１５２は、出力側消費電力測定回路１１０−Ｏの消費電力情報である。温度情報１５３は、温度情報格納部１３１の温度情報である。累積稼働時間情報１５４は、累積動作時間情報格納部１３２の累積動作時間情報である。４つの情報が、ＣＰＵ１６１から通知されると、消費電力情報格納部１６２は、管理テーブル１５０に格納する。消費電力情報格納部１６２は、４つの情報について、１つのエントリとして管理する。
【００１９】
ＣＰＵ１６１から、周期的に４つの情報が通知される。消費電力情報格納部１６２は、通知される度にエントリを増やしていき、あらゆる条件の情報を収集することが可能となる。
【００２０】
図３を参照して、ネットワーク中継装置の消費電力測定方法を説明する。図３において、ネットワーク中継装置１００は、消費電力表示指示がありか判定する（Ｓ３１）。ＹＥＳ（指示あり）のとき、ネットワーク中継装置１００は、消費電力値を算出する（Ｓ３２）。ネットワーク中継装置１００は、消費電力値を表示して（Ｓ３３）、ステップ３１に遷移する。
【００２１】
ステップ３１において、消費電力表示指示がない場合（ＮＯ）、ネットワーク中継装置１００は、変換効率測定モードにあるか判定する（Ｓ３４）。ここで、変換効率測定モードを説明する。
【００２２】
ネットワーク中継装置１００は、入力側消費電力測定回路１１０−Ｉの消費電力情報と、出力側消費電力測定回路１１０−Ｏの消費電力情報を読み取ることで、ＤＣ−ＤＣ電源ユニット１３０の電源変換効率を測定する。ネットワーク中継装置１００は、この変換効率を測定するモードを備えている。変換効率測定モードは、常時動作するのではなく、ネットワーク中継装置１００が１時間動作すると一度変換効率測定モードとなり、その後通常モードに戻り、さらに１時間動作すると一度変換効率測定モードになるという動作を繰り返すものである。
【００２３】
ステップ３４において、変換効率測定モードの場合（ＹＥＳ）、ネットワーク中継装置１００は、入力側消費電力測定回路１１０−Ｉの消費電力情報と、出力側消費電力測定回路１１０−Ｏの消費電力情報と、温度情報格納部１３１の温度情報と、累積動作時間情報格納部１３２の累積動作時間情報の４つの情報を読み取り、これら４つの情報を消費電力情報格納部１６２に格納して（Ｓ３６）、ステップ３１に遷移する。
【００２４】
これら４つの情報の内、入力側消費電力測定回路１１０−Ｉの消費電力情報と、出力側消費電力測定回路１１０−Ｏの消費電力情報から、ＤＣ−ＤＣ電源ユニット１３０の電源変換効率が分かる。また、温度情報格納部１３１の温度情報と、累積動作時間情報格納部１３２の累積動作時間情報に対応したＤＣ−ＤＣ電源ユニット１３０の電源変換効率情報が分かる。なお、電源変換効率の値は、電源の周辺温度や動作している時間によって変化するものであり、ネットワーク中継装置１００が１時間に一度変換効率測定モードになることにより、あらゆる条件の電源変換効率情報を収集する。
【００２５】
ステップ３４においてＮＯのとき、ネットワーク中継装置１００は、そのままステップ３１に遷移する。
【００２６】
実施例１では、１時間に一度変換効率測定モードで動作し、ＤＣ−ＤＣ電源ユニットの内部温度や動作時間に対応した電源変換効率情報をネットワーク中継装置１００が学習する。ネットワーク中継装置１００は、その学習した電源変換効率情報を使用することで、入力側消費電力測定回路１１０−Ｉの消費電力情報を読み取ることなく、高精度な消費電力表示を実現することができる。
【実施例２】
【００２７】
図４を参照して、実施例２に記載のネットワーク中継装置を説明する。図４において、ネットワーク中継装置１００Ａの論理回路１６０Ａは、消費電力量情報格納部１６４をさらに備えている。
【００２８】
消費電力の単位はＷ（ワット）であり、消費電力量の単位はＷｈ（ワット時）である。消費電力量１Ｗｈは、１Ｗの電力を１時間消費し続けた時の電力量を示している。そのため、消費電力は、ある瞬間に消費している電力値であるのに対して、消費電力量は、累計で消費している電力値を知ることが出来る。
【００２９】
消費電力量情報格納部１６４は、ＣＰＵ１６１が、消費電力情報格納部１６２から必要な消費電力情報を読み取り、ＣＰＵ１６１から１分毎に通知される消費電力値を更新していき、消費電力量の情報を格納する。
【００３０】
図５を参照して、ネットワーク中継装置の消費電力量測定方法を説明する。図５において、ステップ４１〜ステップ４３は、図３のステップ３１〜ステップ３３と同一なので説明を省く。
【００３１】
ステップ４１でＮＯのとき、ネットワーク中継装置１００は、変換効率測定モードか判定する（Ｓ４４）。ＹＥＳのとき、ネットワーク中継装置１００は、入力側の消費電力と、出力側の消費電力を測定する（Ｓ４６）。ネットワーク中継装置１００は、入力側消費電力測定回路１１０−Ｉの消費電力情報と、出力側消費電力測定回路１１０−Ｏの消費電力情報と、温度情報格納部１３１の温度情報と、累積動作時間情報格納部１３２の累積動作時間情報の４つの情報を、消費電力情報格納部１６２に格納する（Ｓ４７）。次に、ネットワーク中継装置１００は、ステップ４６で測定した入力側消費電力測定回路１１０−Ｉの消費電力情報を消費電力量情報格納部１６４に通知して、消費電力量を積算して（Ｓ４８）、ステップ４１に遷移する。
【００３２】
ステップ４４において通常モード場合（ＮＯ）、ネットワーク中継装置１００は、出力側消費電力を測定する（Ｓ４９）。ネットワーク中継装置１００は、優先度１のキーとして温度情報格納部１３１の温度情報と、優先度２にキーとして累積動作時間情報格納部１３２の累積動作時間情報とを用いて、消費電力情報格納部１６２の管理テーブルを検索する（Ｓ５１）。ステップ５１は、温度がほぼ同一で、累積動作時間が近い条件での変換効率を求めるステップである。ネットワーク中継装置１００は、ステップ５１で得た変換効率と、測定した出力側消費電力を用いて、入力側消費電力値を算出して（Ｓ５２）、ステップ４８に遷移する。
【００３３】
なお、通常モードでの消費電力測定は、１回／分ごとに実施する。変換効率測定モードでの消費電力測定は、１回／時間ごとに、通常モードでの消費電力測定に代えて実施する。
【００３４】
実施例２では、消費電力量情報格納部１６４を追加し、ネットワーク中継装置の累計の消費電力量を正確に把握することで、ネットワーク中継装置の設置場所全体の消費電力量を正確に把握することが可能となる。その結果、ネットワーク管理者等、ネットワーク中継装置の設置場所を管理する者が、電気料金の事前把握、余剰電力量の把握等を実現することが可能となる。
【実施例３】
【００３５】
図６を参照して、消費電力測定回路の構成を説明する。図６において、消費電力測定回路１１０は、測定切り替え回路１１１−Ａ、１１１−Ｂと、電流測定用抵抗１１２と、電流測定回路１１３と、電圧測定回路１１４と、電力測定回路１１５とを備えている。
【００３６】
測定切り替え回路１１１−Ａ、１１１−Ｂは、ＣＰＵ１６１からの指示で、ａ側またはｂ側への切り替えを行なう。通常モードの場合は、測定切り替え回路１１１−Ａ、１１１−Ｂのａ側に接続する。変換効率測定モードの場合は、測定切り替え回路１１１−Ａ、１１１−Ｂのｂ側に接続する。
【００３７】
電流測定用抵抗１１２は、変換効率測定モードの場合に電流が流れる抵抗である。抵抗値はＲであり、電流が流れると電位差ΔＶが発生する。電流測定回路１１３は、電流測定用抵抗１１２により発生した電位差ΔＶを測定することで、電流測定用抵抗１１２に流れる電流値Ｉを算出することが出来る。
【００３８】
Ｉ＝ΔＶ／Ｒ
電流値Ｉは、ＤＣ−ＤＣ電源ユニット１３０の入力側または出力側消費電流値となる。
【００３９】
電圧測定回路１１４は、消費電力測定回路１１０の電源の電圧値を測定することで、電圧値Ｖを算出することが出来る。電圧値Ｖは、ＤＣ−ＤＣ電源ユニット１３０の入力側または出力側電圧値となる。
【００４０】
電力測定回路１１５は、電流測定回路１１３から通知される電流値Ｉと、電圧測定回路１１４から通知される電圧値Ｖから、電力値Ｐを算出することが出来る。
【００４１】
Ｐ＝Ｖ×Ｉ
電力値Ｐは、ＤＣ−ＤＣ電源ユニット１３０の入力側または出力側消費電力値となる。
【００４２】
ＣＰＵ１６１が、電力測定回路１１５の電力値情報を読み取ることで、ＤＣ−ＤＣ電源ユニット１３０の消費電力値を知ることが出来る。
【００４３】
なお、電流測定用抵抗１１２では、電流値Ｉが流れることにより、熱損失が発生し、結果として、無駄な電力が消費されることになる。熱損失ｑは、電流測定用抵抗１１２に電流値Ｉがｔ秒間流れた場合、以下の式で表される。
【００４４】
ｑ＝Ｉ＾２×Ｒ×ｔ
この式では、電流測定用抵抗１１２に電流が流れる時間が長くなる程、熱損失が多くなり、結果として、多くの無駄な電力が、熱となって消費されてしまうことを意味している。なお、「＾」は、べき乗である。
【００４５】
ネットワーク中継装置１００は、通常は通常モードで動作し、１時間に一度だけ変換効率測定モードで動作する。熱損失が多く発生する変換効率測定モードの動作時間を極力短くすることで、消費電力を抑え、かつ、高精度な消費電力表示を実現する。
なお、電流測定は、クランプ型の測定器を用いてもよい。
【実施例４】
【００４６】
図７を参照して、実施例４のネットワーク中継装置の構成を説明する。図７において、ネットワーク中継装置１００Ｂは、消費電力測定部１７０−Ａ、１７０−Ｂと、ＤＣ−ＤＣ電源ユニット１３０−Ａ、１３０−Ｂと、論理回路１６０Ｂとを備えている。
【００４７】
ネットワーク中継装置１００Ｂは、ＤＣ−ＤＣ電源ユニット１３０−ＡとＤＣ−ＤＣ電源ユニット１３０−Ｂを備えることで、電源２重化を実現している。
電源２重化構成は、ネットワーク中継装置１００への電源系統をあらかじめ２系統にしておくことで、ＤＣ−ＤＣ電源ユニット１３０の故障等により、一方の電源系統からの電源供給が断たれた場合でも、ネットワーク中継装置１００Ｂの動作を停止することなく、動作することが可能となる。
【００４８】
ＤＣ電源供給設備４００Ａは、ネットワーク中継装置１００ＢにＤＣ電力を供給する。なお、ここでは、ＤＣ電源供給設備４００Ａが、単独でネットワーク中継装置１００ＢにＤＣ電力を供給しているが、２台のＤＣ電源供給設備４００で電源２重化を実現してもよい。
【００４９】
消費電力測定部１７０−Ａは、消費電力測定回路１１０と、電源系統切り替え回路１７１、１７３とを含んで構成されている。消費電力測定部１７０−Ｂは、消費電力測定回路１１０と、電源系統切り替え回路１７１Ａ、１７３Ａとを含んで構成されている。電源系統切り替え回路１７１、１７３は、ａ接点、ｂ接点、ｃ接点の３接点から１接点を選択する。電源系統切り替え回路１７１Ａ、１７３Ａは、ａ接点、ｂ接点の２接点から１接点を選択する。ＤＣ−ＤＣ電源ユニット１３０は、温度情報格納部１３１と、累積動作時間情報格納部１３２とを含んで構成されている。
【００５０】
論理回路１６０Ｂは、ＣＰＵ１６１Ａと、消費電力情報格納部１６２と、消費電力表示部１６３とを含んで構成されている。
消費電力測定回路１１０は、ＣＰＵ１６１からの指示で、電源系統切り替え回路１７１、１７３、１７１Ａ、１７３Ａにて電源系統の選択を行ない、消費電力の測定を行なう。測定する箇所は、ＤＣ−ＤＣ電源ユニット１３０−Ａの入力側消費電力、ＤＣ−ＤＣ電源ユニット１３０−Ａの出力側消費電力、ＤＣ−ＤＣ電源ユニット１３０−Ｂの入力側消費電力、ＤＣ−ＤＣ電源ユニット１３０−Ｂの出力側消費電力の４つの内、２つを選択し、消費電力を測定する。
【００５１】
図８を参照して、接点選択テーブルを説明する。図８において、接点選択テーブル２００は、モード番号２０１と、モード名称２０２と、消費電力測定部Ａの測定個所２０３と、消費電力測定部Ｂの測定個所２０４と、測定部Ａの接点２０５と、測定部Ｂの接点２０６とを含む。接点選択テーブル２００は、ネットワーク中継装置１００の通常モードおよび変換効率測定モードに対する消費電力測定部１７０−Ａおよび消費電力測定部１７０−Ｂの測定箇所を示している。接点選択テーブル２００は、論理回路１６０Ｂの図示しないメモリに置かれている。なお、図８において、消費電力測定部１７０−Ａ（Ｂ）は、消費電力測定部（Ｂ）または測定部Ａ（Ｂ）と記載する。また、ＤＣ−ＤＣ電源ユニット１３０−Ａ（Ｂ）は、ＤＣ−ＤＣ電源ユニットＡ（Ｂ）と記載する。
【００５２】
通常モードの場合は、モード番号１となり、消費電力測定部１７０−Ａは、ＤＣ−ＤＣ電源ユニット１３０の出力側消費電力を測定する。消費電力測定部１７０−Ｂは、ＤＣ−ＤＣ電源ユニット１３０−Ｂの出力側消費電力を測定する。測定部Ａの接点２０５は、ｂ接点を選択する。測定部Ｂの接点２０６は、ｂ接点を選択する。
【００５３】
変換効率測定モードの場合は、最初にモード番号２となり、消費電力測定部１７０−Ａは、ＤＣ−ＤＣ電源ユニット１３０の入力側消費電力を測定する。消費電力測定部１７０−Ｂは、ＤＣ−ＤＣ電源ユニット１３０の出力側消費電力を測定する。ＣＰＵ１６１Ａは、ＤＣ−ＤＣ電源ユニット１３０の電源の変換効率を算出する。測定部Ａの接点２０５は、ａ接点を選択する。測定部Ｂの接点２０６は、ａ接点を選択する。
【００５４】
次にモード番号３となり、消費電力測定部１７０−Ａは、ＤＣ−ＤＣ電源ユニット１３０−Ｂの入力側消費電力を測定する。消費電力測定部１７０−Ｂは、ＤＣ−ＤＣ電源ユニット１３０−Ｂの出力側消費電力を測定する。ＣＰＵ１６１Ａは、ＤＣ−ＤＣ電源ユニット１３０−Ｂの電源の変換効率を算出する。測定部Ａの接点２０５は、ｃ接点を選択する。測定部Ｂの接点２０６は、ｂ接点を選択する。
【００５５】
実施例４では、電源系統切り替え回路１７１〜１７３Ａを設けることにより、電源２重化構成時、４つの消費電力測定回路ではなく、２つの消費電力測定回路で、通常モードおよび変換効率測定モードが実現できる。実施例４によれば、高精度な消費電力表示を実現できる。
【符号の説明】
【００５６】
１００…ネットワーク中継装置、１１０…消費電力測定回路、１３０…ＤＣ−ＤＣ電源ユニット、１３１…温度情報格納部、１３２…累積動作時間情報格納部、１５０…管理テーブル、１６０…論理回路、１６１…ＣＰＵ、１６２…消費電力情報格納部、１６３…消費電力表示部、１６４…消費電力量情報格納部、１６５…パケット入力部、１６６…パケット転送処理部、１６７…パケット出力部、１６８…回線ポート、１１１…測定切り替え回路、１１２…電流測定用抵抗、１１３…電流測定回路、１１４…電圧測定回路、１１５…電力測定回路、１７０…消費電力測定部、１７１…電源系統切り替え回路、１７３…電源系統切り替え回路、２００…接点選択テーブル、３００…ネットワーク、４００…ＤＣ電源供給設備。
【図１】
2014022796.tif 000003
【図２】
2014022796.tif 000004
【図３】
2014022796.tif 000005
【図４】
2014022796.tif 000006
【図５】
2014022796.tif 000007
【図６】
2014022796.tif 000008
【図７】
2014022796.tif 000009
【図８】
2014022796.tif 000010